(57)【要約】【課題】部品の特性にばらつきがあっても測定誤差を低減できる超音波流量計を提供する。【解決手段】複数の超音波センサ２ａ、２ｂと、受信増幅手段５と、複数の超音波センサのうちの１つを受信増幅手段の入力端に接続する受信スイッチ３３、３４、３７、３８と、送信駆動手段４と、複数の超音波センサのうちの１つを送信駆動手段の出力端に接続する送信スイッチ３１、３２、３５、３６とを備え、受信増幅手段は、受信スイッチにより接続された超音波センサの電圧が所定電圧に一致するように制御するチャージアンプ回路５１、Ｃｆを含み、受信スイッチは該チャージアンプ回路のフィードバックループ内に含まれるように接続され、送信駆動手段は、送信スイッチにより接続された超音波センサに加える電圧が、入力電圧に一致するように制御する電圧制御回路４１を含み、送信スイッチは該電圧制御回路のフィードバックループ内に含まれるように接続されている。【選択図】図１
2006017679.tif 000002
【特許請求の範囲】
【請求項１】
複数の超音波センサと、
受信した信号を増幅する受信増幅手段と、
前記複数の超音波センサのうちの１つを前記受信増幅手段の入力端に接続するように切り替える受信スイッチとを備え、
前記受信増幅手段は、前記受信スイッチによって接続された超音波センサの電圧が所定電圧に一致するように制御するチャージアンプ回路を含み、前記受信スイッチは該チャージアンプ回路のフィードバックループ内に含まれるように接続されていることを特徴とする超音波流量計。
【請求項２】
複数の超音波センサと、
駆動信号を送信する送信駆動手段と、
前記複数の超音波センサのうちの１つを前記送信駆動手段の出力端に接続するように切り替える送信スイッチとを備え、
前記送信駆動手段は、前記送信スイッチによって接続された超音波センサに加える電圧が、入力された電圧に一致するように制御する電圧制御回路を含み、前記送信スイッチは該電圧制御回路のフィードバックループ内に含まれるように接続されていることを特徴とする超音波流量計。
【請求項３】
複数の超音波センサと、
受信した信号を増幅する受信増幅手段と、
前記複数の超音波センサのうちの１つを前記受信増幅手段の入力端に接続するように切り替える受信スイッチと、
駆動信号を送信する送信駆動手段と、
前記複数の超音波センサのうちの１つを前記送信駆動手段の出力端に接続するように切り替える送信スイッチとを備え、
前記受信増幅手段は、前記受信スイッチによって接続された超音波センサの電圧が所定電圧に一致するように制御するチャージアンプ回路を含み、前記受信スイッチは該チャージアンプ回路のフィードバックループ内に含まれるように接続され、
前記送信駆動手段は、前記送信スイッチによって接続された超音波センサに加える電圧が、入力された電圧に一致するように制御する電圧制御回路を含み、前記送信スイッチは該電圧制御回路のフィードバックループ内に含まれるように接続されていることを特徴とする超音波流量計。
【発明の詳細な説明】
【技術分野】
【０００１】
本発明は、流体の流量を計量する超音波流量計に関し、特にその測定誤差を低減させる技術に関する。
【背景技術】
【０００２】
従来、流路に２つの超音波センサを配置し、超音波センサ間を伝播する超音波の伝播時間を計測することにより、流路を流れる流体の流量を計測する超音波流量計が知られている（例えば、特許文献１参照）。
【０００３】
図２はこの種の従来の超音波流量計の構成を示すブロック図である。この超音波流量計は、測定対象となる気体が流れる流路１に配置された第１超音波センサ２ａおよび第２超音波センサ２ｂと、これら第１超音波センサ２ａおよび第２超音波センサ２ｂを制御するための送受信切替スイッチ３、送信駆動手段４、受信増幅手段５および制御手段６とを有して構成されている。
【０００４】
第１超音波センサ２ａは、送受信切替スイッチ３からの信号に応じた超音波を発生して第２超音波センサ２ｂに向けて送信するとともに、第２超音波センサ２ｂからの超音波を検出して得られた信号を送受信切替スイッチ３に送る。
【０００５】
第２超音波センサ２ｂは、送受信切替スイッチ３からの信号に応じた超音波を発生して第１超音波センサ２ａに向けて送信するとともに、第１超音波センサ２ａからの超音波を検出して得られた信号を送受信切替スイッチ３に送る。
【０００６】
ここで、超音波が第１超音波センサ２ａから第２超音波センサ２ｂに向けて伝播する方向を順方向という。逆に、超音波が第２超音波センサ２ｂから第１超音波センサ２ａに向けて伝播する方向を逆方向という。
【０００７】
送受信切替スイッチ３は、制御手段６からの切替信号に応じて、超音波を順方向に伝播させるか逆方向に伝播させるかを切り替える。
【０００８】
送信駆動手段４は、制御手段６から送られてくる送信信号を、送受信切替スイッチ３を介して送信側となる超音波センサに送り、その超音波センサを駆動する。
【０００９】
受信増幅手段５は、受信側となった超音波センサから送受信切替スイッチ３を介して送られてくる信号を増幅し、受信信号として制御手段６に送る。
【００１０】
制御手段６は、送信駆動手段４に送信信号を送出した後に受信増幅手段５から受信信号を受け取るまでの時間を計測する。流路１を気体が流れる方向によって、超音波が順方向に伝播される時間と逆方向に伝播される時間とに時間差が生じる。制御手段６は、この時間差を測定することにより流路１内の気体の流速を求め、この求められた流速に基づいて流量を算出する。
【００１１】
図３は上述した従来の超音波流量計の主要部、即ち、第１超音波センサ２ａ、第２超音波センサ２ｂ、送受信切替スイッチ３および受信増幅手段５の各々の構成を詳細に示す回路図である。
【００１２】
第１超音波センサ２ａおよび第２超音波センサ２ｂは、内部容量Ｃｓを有する。従って、第１超音波センサ２ａは、一方の端子が送受信切替スイッチ３に接続され、他方の端子が接地された内部容量Ｃｓを有するコンデンサと見なすことができる。同様に、第２超音波センサ２ｂは、一方の端子が送受信切替スイッチ３に接続され、他方の端子が接地された内部容量Ｃｓを有するコンデンサと見なすことができる。
【００１３】
送受信切替スイッチ３は、第１送信スイッチ３１、第２送信スイッチ３２、第１受信スイッチ３３および第２受信スイッチ３４から構成されている。第１送信スイッチ３１の一方の端子は送信駆動手段４に接続され、他方の端子は第１超音波センサ２ａに接続されている。第２送信スイッチ３２の一方の端子は送信駆動手段４に接続され、他方の端子は第２超音波センサ２ｂに接続されている。第１受信スイッチ３３の一方の端子は受信増幅手段５に接続され、他方の端子は第１超音波センサ２ａに接続されている。第２受信スイッチ３４の一方の端子は受信増幅手段６に接続され、他方の端子は第２超音波センサ２ｂに接続されている。
【００１４】
これら第１送信スイッチ３１、第２送信スイッチ３２、第１受信スイッチ３３および第２受信スイッチ３４のオン／オフは、制御手段６からの切替信号（図３では図示を省略してある）によって行われる。
【００１５】
送受信切替スイッチ３を構成する第１送信スイッチ３１、第２送信スイッチ３２、第１受信スイッチ３３および第２受信スイッチ３４の各々は内部抵抗を有し、各内部抵抗の抵抗値は、一般に、製造のばらつきにより少しずつ異なる。
【００１６】
受信増幅手段５は、チャージアンプ回路から構成されている。チャージアンプ回路は、オペアンプ５１と、このオペアンプ５１の出力端子と反転入力端子との間に接続されてフィードバックループを形成するコンデンサＣｆとから構成されている。
【特許文献１】実公平７−１０２５３号公報
【発明の開示】
【発明が解決しようとする課題】
【００１７】
上述したように構成される超音波流量計では、第１超音波センサ２ａおよび第２超音波センサ２ｂの製造のばらつきにより、流路１を気体が流れていない場合であっても順方向と逆方向で超音波の伝播時間差が生じる。この伝播時間差は、特許文献１で説明されているように、受信増幅手段５を入力インピーダンスの小さいチャージアンプ回路で構成することにより小さくすることができる。ところが、受信増幅手段５の入力インピーダンスを小さくすると、送受信切替スイッチ３を構成する第１送信スイッチ３１、第２送信スイッチ３２、第１受信スイッチ３３および第２受信スイッチ３４の内部抵抗を無視できなくなる。この超音波流量計において、受信増幅手段５に第１超音波センサ２ａを接続する場合は第１受信スイッチ３３がオンし、第２超音波センサ２ｂを接続する場合は第２受信スイッチ３４がオンする。制御手段６で観測される超音波の伝播時間は、送受信切替スイッチ３を構成する各スイッチの内部抵抗と第１超音波センサ２ａおよび第２超音波センサ２ｂの内部容量Ｃｓにより変化するが、第１超音波センサ２ａまたは第２超音波センサ２ｂからの信号は、超音波を順方向へ伝播させる場合と逆方向へ伝播させる場合で異なる受信スイッチを通るため、受信スイッチの内部抵抗の抵抗値のばらつきにより、伝播時間にばらつきが生じ、これが測定誤差になるという問題が生じる。送信駆動手段４に第１超音波センサ２ａまたは第２超音波センサ２ｂを接続する場合も全く同じ問題が生じる。
【００１８】
第１送信スイッチ３１、第２送信スイッチ３２、第１受信スイッチ３３および第２受信スイッチ３４を半導体スイッチで構成する場合、測定誤差を小さくするためには、これらのスイッチの内部抵抗を小さくすればよいが、半導体スイッチで抵抗を小さくするには半導体の面積を大きくする必要があり、集積回路化する場合にコスト面で不利になるという問題がある。
【００１９】
本発明は、上述した問題を解消するためになされたものであり、部品の特性にばらつきがあっても測定誤差を低減できる超音波流量計を提供することにある。
【課題を解決するための手段】
【００２０】
上記課題を解決するために、第１の発明に係る超音波流量計は、複数の超音波センサと、受信した信号を増幅する受信増幅手段と、複数の超音波センサのうちの１つを受信増幅手段の入力端に接続するように切り替える受信スイッチとを備え、受信増幅手段は、受信スイッチによって接続された超音波センサの電圧が所定電圧に一致するように制御するチャージアンプ回路を含み、受信スイッチは該チャージアンプ回路のフィードバックループ内に含まれるように接続されていることを特徴とする。
【００２１】
また、第２の発明に係る超音波流量計は、複数の超音波センサと、駆動信号を送信する送信駆動手段と、複数の超音波センサのうちの１つを送信駆動手段の出力端に接続するように切り替える送信スイッチとを備え、送信駆動手段は、送信スイッチによって接続された超音波センサに加える電圧が、入力された電圧に一致するように制御する電圧制御回路を含み、送信スイッチは該電圧制御回路のフィードバックループ内に含まれるように接続されていることを特徴とする。
【００２２】
さらに、第３の発明に係る超音波流量計は、複数の超音波センサと、受信した信号を増幅する受信増幅手段と、複数の超音波センサのうちの１つを受信増幅手段の入力端に接続するように切り替える受信スイッチと、駆動信号を送信する送信駆動手段と、複数の超音波センサのうちの１つを送信駆動手段の出力端に接続するように切り替える送信スイッチとを備え、受信増幅手段は、受信スイッチによって接続された超音波センサの電圧が所定電圧に一致するように制御するチャージアンプ回路を含み、受信スイッチは該チャージアンプ回路のフィードバックループ内に含まれるように接続され、送信駆動手段は、送信スイッチによって接続された超音波センサに加える電圧が、入力された電圧に一致するように制御する電圧制御回路を含み、送信スイッチは該電圧制御回路のフィードバックループ内に含まれるように接続されていることを特徴とする。
【発明の効果】
【００２３】
第１の発明によれば、受信増幅手段を、受信スイッチによって接続された超音波センサの電圧が所定電圧に一致するように制御するチャージアンプ回路で構成し、受信スイッチを該チャージアンプ回路のフィードバックループ内に含まれるように接続したので、受信スイッチの内部抵抗の影響をなくすことができる。その結果、受信スイッチの内部抵抗にばらつきがあっても測定誤差を低減できる。
【００２４】
また、第２の発明によれば、送信駆動手段を、送信スイッチによって接続された超音波センサに加える電圧が、入力された電圧に一致するように制御する電圧制御回路で構成し、送信スイッチは該電圧制御回路のフィードバックループ内に含まれるように接続したので、送信スイッチの内部抵抗の影響をなくすことができる。その結果、送信スイッチの内部抵抗にばらつきがあっても測定誤差を低減できる。
【００２５】
また、第３の発明によれば、受信増幅手段を、受信スイッチによって接続された超音波センサの電圧が所定電圧に一致するように制御するチャージアンプ回路で構成し、受信スイッチを該チャージアンプ回路のフィードバックループ内に含まれるように接続するとともに、送信駆動手段を、送信スイッチによって接続された超音波センサに加える電圧が、入力された電圧に一致するように制御する電圧制御回路で構成し、送信スイッチは該電圧制御回路のフィードバックループ内に含まれるように接続したので、受信スイッチおよび送信スイッチの内部抵抗の影響をなくすことができる。その結果、受信スイッチおよび送信スイッチの内部抵抗にばらつきがあっても測定誤差を低減できる。
【発明を実施するための最良の形態】
【００２６】
以下、本発明に係る超音波流量計の実施例を、図面を参照しながら詳細に説明する。なお、以下では、背景技術の欄で説明した従来の超音波流量計の構成と同一または相当部分には、従来の超音波流量計の説明で使用した符号と同一の符号を付して説明する。
【実施例１】
【００２７】
本発明の実施例１に係る超音波流量計の全体的な構成は、図２に示した従来の超音波流量計の構成と同じであり、送受信切替スイッチ３、送信駆動手段４および受信増幅手段５の内部の構成が従来の超音波流量計と異なる。
【００２８】
図１は本発明の実施例１に係る超音波流量計の主要部の構成を詳細に示す回路図である。この超音波流量計の主要部は、第１超音波センサ２ａ、第２超音波センサ２ｂ、送受信切替スイッチ３、送信駆動手段４および受信増幅手段５を有して構成されている。
【００２９】
送信駆動手段４の出力段には、電圧制御用オペアンプ４１が設けられている。この電圧制御用オペアンプ４１は、本発明の電圧制御回路に対応する。受信増幅手段５は、オペアンプ５１と、このオペアンプ５１の出力端子に一方の端子が接続されたコンデンサＣｆとから成るチャージアンプ回路によって構成されている。
【００３０】
送受信切替スイッチ３は、第１送信スイッチ３１、第２送信スイッチ３２、第３送信スイッチ３５、第４送信スイッチ３６、第１受信スイッチ３３、第２受信スイッチ３４、第３受信スイッチ３７および第４受信スイッチ３８から構成されている。
【００３１】
第１送信スイッチ３１の一方の端子は電圧制御用オペアンプ４１の出力端子に接続され、他方の端子は第１超音波センサ２ａに接続されている。第２送信スイッチ３２の一方の端子は電圧制御用オペアンプ４１の出力端子に接続され、他方の端子は第２超音波センサ２ｂに接続されている。第３送信スイッチ３５の一方の端子は電圧制御用オペアンプ４１の反転入力端子に接続され、他方の端子は第１超音波センサ２ａに接続されている。第４送信スイッチ３６の一方の端子は電圧制御用オペアンプ４１の反転入力端子に接続され、他方の端子は第２超音波センサ２ｂに接続されている。
【００３２】
第１受信スイッチ３３の一方の端子はオペアンプ５１の反転入力端子に接続され、他方の端子は第１超音波センサ２ａに接続されている。第２受信スイッチ３４の一方の端子はオペアンプ５１の反転入力端子に接続され、他方の端子は第２超音波センサ２ｂに接続されている。第３受信スイッチ３７の一方の端子はコンデンサＣｆの他方の端子に接続され、他方の端子は第１超音波センサ２ａに接続されている。第４受信スイッチ３８の一方の端子はコンデンサＣｆの他方の端子に接続され、他方の端子は第２超音波センサ２ｂに接続されている。
【００３３】
これら第１送信スイッチ３１、第２送信スイッチ３２、第３送信スイッチ３５、第４送信スイッチ３６、第１受信スイッチ３３、第２受信スイッチ３４、第３受信スイッチ３７および第４受信スイッチ３８のオン／オフは、制御手段６からの切替信号（図１では図示を省略している）によって行われる。
【００３４】
上述した接続により、第１送信スイッチ３１、第２送信スイッチ３２、第３送信スイッチ３５および第４送信スイッチ３６は、電圧制御用オペアンプ４１のフィードバックループ内に含まれ、第１受信スイッチ３３、第２受信スイッチ３４、第３受信スイッチ３７および第４受信スイッチ３８は、チャージアンプ回路のフィードバックループ内に含まれている。
【００３５】
次に、このように構成される本発明の実施例１に係る超音波流量計の動作を説明する。まず、第１超音波センサ２ａから第２超音波センサ２ｂへ超音波を順方向に伝播させる場合、送受信切替スイッチ３を構成する各スイッチは以下のように設定される。
【００３６】
送信側：第１送信スイッチ３１および第３送信スイッチ３５：ＯＮ
第２送信スイッチ３２および第４送信スイッチ３６：ＯＦＦ
受信側：第１受信スイッチ３３および第３受信スイッチ３７：ＯＦＦ
第２受信スイッチ３４および第４受信スイッチ３８：ＯＮ
送受信切替スイッチ３の各スイッチが上記のように設定された状態では、電圧制御用オペアンプ４１は、第１送信スイッチ３１および第３送信スイッチ３５と第１超音波センサ２ａの接続点ａの信号と、電圧制御用オペアンプ４１の非反転入力端子（点ｂ）への入力信号が一致するように（即ち、接続点ａと点ｂとが同電位になるように）、その出力を制御する。このため、第１送信スイッチ３１および第２送信スイッチ３２の各内部抵抗による電圧降下の影響がなくなる。
【００３７】
ただし、電圧制御用オペアンプ４１への入力信号の変化が速いと制御しきれなくなるため、入力信号の立ち上がりの変化は、第１送信スイッチ３１および第３送信スイッチ３５の内部抵抗と第１超音波センサ２ａの内部容量Ｃｓとからなる時定数によって決定される変化より遅くなるように設定する必要がある。
【００３８】
また、オペアンプ５１は、第２送信スイッチ３２および第４送信スイッチ３６と第２超音波センサ２ｂの接続点ｃを仮想接地（即ち、接続点ｃとオペアンプ５１の非反転端子ｄとが同電位で且つオペアンプ５１の非反転端子ｄが接地される。）するように作用する。このため、第２受信スイッチ３４および第４受信スイッチ３８の内部抵抗による電圧降下の影響がなくなる。
【００３９】
第２超音波センサ２ｂから第１超音波センサ２ａへ超音波を逆方向に伝播させる場合、送受信切替スイッチ３を構成する各スイッチは以下のように設定される。
【００４０】
送信側：第１送信スイッチ３１および第３送信スイッチ３５：ＯＦＦ
第２送信スイッチ３２および第４送信スイッチ３６：ＯＮ
受信側：第１受信スイッチ３３および第３受信スイッチ３７：ＯＮ
第２受信スイッチ３４および第４受信スイッチ３８：ＯＦＦ
送受信切替スイッチ３の各スイッチが上記のように設定された状態では、電圧制御用オペアンプ４１は、接続点ｃの信号と電圧制御用オペアンプ４１の非反転入力端子（点ｂ）への入力信号とが一致するように（即ち、接続点ｃと点ｂとが同電位になるように）出力を制御する。このため、第２送信スイッチ３２および第４送信スイッチ３６の内部抵抗による電圧降下の影響がなくなる。
【００４１】
ただし、電圧制御用オペアンプ４１への入力信号の変化が速いと制御しきれなくなるため、入力信号の立ち上がりの変化は、第２送信スイッチ３２および第４送信スイッチ３６の内部抵抗と第２超音波センサ２ｂの内部容量Ｃｓとからなる時定数によって決定される変化より遅くなるように設定する必要がある。
【００４２】
また、オペアンプ５１は、接続点ａを仮想接地（即ち、接続点ａとオペアンプ５１の非反転端子ｄとが同電位で且つオペアンプ５１の非反転端子ｄが接地される。）するように作用する。このため、第１受信スイッチ３３および第３受信スイッチ３７の内部抵抗による電圧降下の影響がなくなる。
【００４３】
以上説明したように、本発明の実施例１に係る超音波流量計によれば、超音波を順方向へ伝播させる場合は第１送信スイッチ３１および第３送信スイッチ３５の内部抵抗による電圧降下ならびに第２受信スイッチ３４および第４受信スイッチ３８の内部抵抗による電圧降下の影響が排除され、超音波を逆方向へ伝播させる場合は第２送信スイッチ３２および第４送信スイッチ３６の内部抵抗による電圧降下ならびに第１受信スイッチ３３および第３受信スイッチ３７の内部抵抗による電圧降下の影響が排除される。
【００４４】
その結果、第１送信スイッチ３１、第２送信スイッチ３２、第３送信スイッチ３５、第４送信スイッチ３６、第１受信スイッチ３３、第２受信スイッチ３４、第３受信スイッチ３７および第４受信スイッチ３８の各内部抵抗にばらつきがあっても測定誤差を低減できる。また、送受信切替スイッチ３を構成する各スイッチの内部抵抗を小さくする必要がないので、安価なスイッチを採用することができる。
【００４５】
なお、この実施例１に係る超音波流量計では、第１送信スイッチ３１、第２送信スイッチ３２、第３送信スイッチ３５および第４送信スイッチ３６から成る送信スイッチと、第１受信スイッチ３３、第２受信スイッチ３４、第３受信スイッチ３７および第４受信スイッチ３８から成る受信スイッチの両方ともフィードバックループ内に含まれるように構成したが、送信スイッチと受信スイッチの何れか一方のみをフィードバックループ内に含まれるように構成することもできる。
【産業上の利用可能性】
【００４６】
本発明は、ガス流量を計測することができるな超音波ガスメータ等の超音波流量計に適用可能である。
【図面の簡単な説明】
【００４７】
【図１】本発明の実施例１に係る超音波流量計の主要部の構成を詳細に示す回路図である。
【図２】従来の超音波流量計の構成を示すブロック図である。
【図３】従来の超音波流量計の主要部の構成を詳細に示す回路図である。
【符号の説明】
【００４８】
１  流路
２ａ  第１超音波センサ
２ｂ  第２超音波センサ
３  送受信切替スイッチ
４  送信駆動手段
５  受信増幅手段
６  制御手段
３１  第１送信スイッチ
３２  第２送信スイッチ
３３  第１受信スイッチ
３４  第２受信スイッチ
３５  第３送信スイッチ
３６  第４送信スイッチ
３７  第３受信スイッチ
３８  第４受信スイッチ
４１  電流制御用オペアンプ
５１  オペアンプ
【図１】
2006017679.tif 000003
【図２】
2006017679.tif 000004
【図３】
2006017679.tif 000005